(57)【特許請求の範囲】
【請求項１】
コネクタと、相手側コネクタとを備えるコネクタ対であって、
前記相手側コネクタは、被ロック部を備えており、
前記被ロック部は、解除方向に変位可能であり、
前記コネクタは、前方に位置する相手側コネクタと前後方向に沿って嵌合可能であり且つ電気的に接続可能であり、前記コネクタは、ロック部と、ロック解除片と、操作部材とを備えており、
前記ロック部は、前記コネクタが前記相手側コネクタと嵌合した嵌合状態において前記被ロック部と係合し、これにより前記嵌合状態がロックされ、
前記ロック解除片は、前記解除方向に変位可能な被操作部を有しており、
前記操作部材は、前記ロック解除片の前記被操作部を前記解除方向に直接的に押圧して前記ロック解除片を操作するように構成されており、
前記ロック解除片は、前記嵌合状態において操作されると、前記被ロック部を前記解除方向に変位させ、前記被ロック部の変位により前記嵌合状態のロックが解除される
コネクタ対。
【請求項２】
請求項１記載のコネクタ対であって、
前記解除方向は、前記前後方向と交差しており、
前記ロック解除片は、前記嵌合状態において操作されると、前記解除方向に弾性変形して前記被ロック部を前記解除方向に変位させる
コネクタ対。
【請求項３】
請求項１又は請求項２記載のコネクタ対であって、
前記コネクタは、ハウジングと、コンタクトと、シェルとを備えており、
前記コンタクトは、前記ハウジングに保持されており、
前記シェルは、前記ハウジングを少なくとも部分的に覆っている
コネクタ対。
【請求項４】
請求項３記載のコネクタ対であって、
前記ロック部及び前記ロック解除片は、前記シェルに設けられている
コネクタ対。
【請求項５】
請求項３記載のコネクタ対であって、
前記コネクタは、前記シェルと別体のロック部材を備えており、
前記ロック部材は、前記シェルに固定されており、
前記ロック部及び前記ロック解除片は、前記ロック部材に設けられている
コネクタ対。
【請求項６】
請求項３乃至請求項５記載のコネクタ対であって、
前記コネクタは、フードを備えており、
前記フードは、前記ハウジング及び前記シェルの夫々を少なくとも部分的に受容して保持しており、
前記操作部材は、被固定部を有しており、前記被固定部は、前記フードに固定されている
コネクタ対。
【請求項７】
請求項６記載のコネクタ対であって、
前記操作部材は、前記フードと一体に形成されている
コネクタ対。
【請求項８】
請求項６又は請求項７記載のコネクタ対であって、
前記操作部材は、バネ部と、押圧部とを有しており、
前記バネ部は、前記被固定部に、弾性変形可能に支持されており、
前記押圧部は、前記解除方向に変位可能となるように、前記バネ部に接続されており、前記押圧部は、前記ロック解除片の前記被操作部を前記解除方向に押圧可能な位置に配置されており、
前記バネ部が弾性変形すると、前記押圧部は前記解除方向に変位して前記被操作部を押圧し、押圧された前記被操作部は前記解除方向に変位し、これにより前記ロック解除片が弾性変形する
コネクタ対。
【請求項９】
請求項８記載のコネクタ対であって、
前記操作部材は、操作部を有しており、
前記操作部は、前記バネ部に接続されており、
前記操作部を操作すると、前記操作部と前記バネ部との接続部分が前記解除方向に変位し、前記バネ部が前記弾性変形する
コネクタ対。
【請求項１０】
請求項９記載のコネクタ対であって、
前記コネクタは、前記ロック部及び前記ロック解除片から夫々構成される２組のロックセットを備えており、
前記ロックセットは、前記前後方向に直交する横方向における前記コネクタの両側部に夫々設けられており、
前記操作部材は、前記バネ部、前記押圧部、及び前記操作部から夫々構成される２組の操作セットと、連結部とを有しており、
前記操作セットは、前記ロックセットと夫々対応するようにして設けられており、
前記連結部は、前記前後方向及び前記横方向の双方と直交する上下方向における前記コネクタの上部において、２つの前記操作部を連結している
コネクタ対。
【請求項１１】
請求項１０記載のコネクタ対であって、
前記解除方向は、前記横方向において外側に向かう方向であり、
前記コネクタは、２つの第１規制部を備えており、
前記第１規制部は、前記横方向における前記操作部の内側に夫々位置しており、前記横方向における内側への前記操作部の変位を夫々規制する
コネクタ対。
【請求項１２】
請求項１０又は請求項１１記載のコネクタ対であって、
前記コネクタは、２つの第２規制部を備えており、
前記第２規制部は、前記操作部の上方に夫々位置しており、前記上下方向における上方への前記操作部の変位を夫々規制する
コネクタ対。
【請求項１３】
請求項３乃至請求項１２のいずれかに記載のコネクタ対であって、
前記相手側コネクタは、前記コネクタと嵌合する相手側嵌合部を有しており、
前記コネクタは、前記相手側コネクタと嵌合する嵌合部を有しており、
前記嵌合部は、前記嵌合状態において前記相手側嵌合部に受容される
コネクタ対。
【請求項１４】
請求項１３記載のコネクタ対であって、
前記嵌合部の外周面は、前記シェルによって切れ目なく覆われている
コネクタ対。
【請求項１５】
請求項１３又は請求項１４記載のコネクタ対であって、
前記相手側コネクタは、相手側ハウジングと、相手側コンタクトと、相手側シェルとを備えており、
前記相手側ハウジングには、溝部が設けられており、
前記相手側コンタクトは、前記相手側ハウジングに保持されており、
前記相手側シェルは、前記相手側ハウジングを少なくとも部分的に覆っており、前記相手側シェルには開口部が形成されており、前記相手側コネクタが前記コネクタから離れている分離状態において、前記開口部を通して前記相手側コンタクトの所定部分が視認可能であり、
前記シェルは、シールド部を有しており、前記シールド部は、前方に突出するようにして前記嵌合部の前端に設けられており、前記嵌合状態において、前記シールド部の前端部は、前記相手側ハウジングの前記溝部に挿入されており、前記開口部を通して前記相手側コンタクトの前記所定部分を視認することができない
コネクタ対。
【請求項１６】
請求項１３乃至請求項１５のいずれかに記載のコネクタ対であって、
前記相手側コネクタは、被ロック片を備えており、前記被ロック片は、前記解除方向に弾性変形可能となるように支持されており、前記被ロック部は、前記被ロック片に設けられており、
前記嵌合状態において、前記ロック解除片は、前記解除方向における前記嵌合部と前記被ロック片との間に位置し、
前記嵌合状態において前記ロック解除片を前記解除方向に弾性変形させると、前記ロック解除片は、前記被ロック部が前記解除方向において前記嵌合部から離れるように前記被ロック片を弾性変形させる
コネクタ対。
【請求項１７】
請求項１３乃至請求項１６のいずれかに記載のコネクタ対であって、
前記ロック部及び前記ロック解除片は、前記嵌合部に設けられている
コネクタ対。
【請求項１８】
請求項１乃至請求項１７のいずれかに記載のコネクタ対のコネクタとして使用可能なコネクタ。
【請求項１９】
請求項１乃至請求項１７のいずれかに記載のコネクタ対の相手側コネクタとして使用可能なコネクタ。
【発明の詳細な説明】
【技術分野】
【０００１】
本発明は、コネクタ及び相手側コネクタからなるコネクタ対であって、嵌合状態をロックするためのロック機構を備えるコネクタ対に関する。
【背景技術】
【０００２】
このタイプの機構は、例えば特許文献１に開示されている。特許文献１に開示されたコネクタ対、即ち、プラグ（コネクタ）及びレセプタクル（相手側コネクタ）は、嵌合状態をロックするためのロック機構を備えている。
【０００３】
具体的には、図２２に示されるように、特許文献１のプラグ（コネクタ）は、押圧部材（操作部材）と、可撓片とを備えている。可撓片には、爪部（ロック部）が形成されている。可撓片は、操作部材によって操作可能となるようにして、コネクタに保持されている。一方、レセプタクル（相手側コネクタ）には、孔部（被ロック部）が設けられている。コネクタがレセプタクルと嵌合すると、ロック部が被ロック部と係合し、これにより嵌合状態がロックされる。コネクタが嵌合状態にあるときに操作部材を操作して変位させると、コネクタの可撓片が弾性変形し、これによりロック部が変位する。変位したロック部は被ロック部から開放され、嵌合状態のロックが解除される。
【先行技術文献】
【特許文献】
【０００４】
【特許文献１】特開２００４−８７４６２号公報
【発明の概要】
【発明が解決しようとする課題】
【０００５】
特許文献１に開示されたようにロック機構が構成されている場合、コネクタの操作部材を変位させることによって、コネクタのロック部を変位させる必要がある。換言すれば、従来のロック機構については、互いに嵌合する２つのコネクタのうちの一方が、変位可能な操作部材と、変位可能なロック部の双方を備える必要がある。このような操作部材とロック部の双方を備えたコネクタは、構造上の制約を受けやすい。コネクタの構造をより柔軟に構成するためには、従来とは異なる新たなロック機構が必要である。
【０００６】
本発明は、コネクタと相手側コネクタとの嵌合状態をロックするための新たなロック機構を備えたコネクタ対を提供することを目的とする。
【課題を解決するための手段】
【０００７】
本発明は、第１のコネクタ対として、
コネクタと、相手側コネクタとを備えるコネクタ対であって、
前記相手側コネクタは、被ロック部を備えており、
前記被ロック部は、解除方向に変位可能であり、
前記コネクタは、前方に位置する相手側コネクタと前後方向に沿って嵌合可能であり且つ電気的に接続可能であり、前記コネクタは、ロック部と、ロック解除片とを備えており、
前記ロック部は、前記コネクタが前記相手側コネクタと嵌合した嵌合状態において前記被ロック部と係合し、これにより前記嵌合状態がロックされ、
前記ロック解除片は、前記嵌合状態において操作されると、前記被ロック部を前記解除方向に変位させ、前記被ロック部の変位により前記嵌合状態のロックが解除される
コネクタ対を提供する。
【０００８】
また、本発明は、第２のコネクタ対として、第１のコネクタ対であって、
前記解除方向は、前記前後方向と交差しており、
前記ロック解除片は、前記嵌合状態において操作されると、前記解除方向に弾性変形して前記被ロック部を前記解除方向に変位させる
コネクタ対を提供する。
【０００９】
また、本発明は、第３のコネクタ対として、第１又は第２のコネクタ対であって、
前記コネクタは、ハウジングと、コンタクトと、シェルとを備えており、
前記コンタクトは、前記ハウジングに保持されており、
前記シェルは、前記ハウジングを少なくとも部分的に覆っている
コネクタ対を提供する。
【００１０】
また、本発明は、第４のコネクタ対として、第３のコネクタ対であって、
前記ロック部及び前記ロック解除片は、前記シェルに設けられている
コネクタ対を提供する。
【００１１】
また、本発明は、第５のコネクタ対として、第３のコネクタ対であって、
前記コネクタは、前記シェルと別体のロック部材を備えており、
前記ロック部材は、前記シェルに固定されており、
前記ロック部及び前記ロック解除片は、前記ロック部材に設けられている
コネクタ対を提供する。
【００１２】
また、本発明は、第６のコネクタ対として、第３乃至第５のいずれかのコネクタ対であって、
前記コネクタは、操作部材を備えており、
前記ロック解除片は、前記解除方向に変位可能な被操作部を有しており、
前記操作部材は、前記ロック解除片の前記被操作部を前記解除方向に押圧するように構成されている
コネクタ対を提供する。
【００１３】
また、本発明は、第７のコネクタ対として、第６のコネクタ対であって、
前記コネクタは、フードを備えており、
前記フードは、前記ハウジング及び前記シェルの夫々を少なくとも部分的に受容して保持しており、
前記操作部材は、被固定部を有しており、前記被固定部は、前記フードに固定されている
コネクタ対を提供する。
【００１４】
また、本発明は、第８のコネクタ対として、第７のコネクタ対であって、
前記操作部材は、前記フードと一体に形成されている
コネクタ対を提供する。
【００１５】
また、本発明は、第９のコネクタ対として、第６乃至第８のいずれかのコネクタ対であって、
前記操作部材は、バネ部と、押圧部とを有しており、
前記バネ部は、前記被固定部に、弾性変形可能に支持されており、
前記押圧部は、前記解除方向に変位可能となるように、前記バネ部に接続されており、前記押圧部は、前記ロック解除片の前記被操作部を前記解除方向に押圧可能な位置に配置されており、
前記バネ部が弾性変形すると、前記押圧部は前記解除方向に変位して前記被操作部を押圧し、押圧された前記被操作部は前記解除方向に変位し、これにより前記ロック解除片が弾性変形する
コネクタ対を提供する。
【００１６】
また、本発明は、第１０のコネクタ対として、第９のコネクタ対であって、
前記操作部材は、操作部を有しており、
前記操作部は、前記バネ部に接続されており、
前記操作部を操作すると、前記操作部と前記バネ部との接続部分が前記解除方向に変位し、前記バネ部が前記弾性変形する
コネクタ対を提供する。
【００１７】
また、本発明は、第１１のコネクタ対として、第１０のコネクタ対であって、
前記コネクタは、前記ロック部及び前記ロック解除片から夫々構成される２組のロックセットを備えており、
前記ロックセットは、前記前後方向に直交する横方向における前記コネクタの両側部に夫々設けられており、
前記操作部材は、前記バネ部、前記押圧部、及び前記操作部から夫々構成される２組の操作セットと、連結部とを有しており、
前記操作セットは、前記ロックセットと夫々対応するようにして設けられており、
前記連結部は、前記前後方向及び前記横方向の双方と直交する上下方向における前記コネクタの上部において、２つの前記操作部を連結している
コネクタ対を提供する。
【００１８】
また、本発明は、第１２のコネクタ対として、第１１のコネクタ対であって、
前記解除方向は、前記横方向において外側に向かう方向であり、
前記コネクタは、２つの第１規制部を備えており、
前記第１規制部は、前記横方向における前記操作部の内側に夫々位置しており、前記横方向における内側への前記操作部の変位を夫々規制する
コネクタ対を提供する。
【００１９】
また、本発明は、第１３のコネクタ対として、第１１又は第１２のコネクタ対であって、
前記コネクタは、２つの第２規制部を備えており、
前記第２規制部は、前記操作部の上方に夫々位置しており、前記上下方向における上方への前記操作部の変位を夫々規制する
コネクタ対を提供する。
【００２０】
また、本発明は、第１４のコネクタ対として、第３又は第１３のいずれかのコネクタ対であって、
前記相手側コネクタは、前記コネクタと嵌合する相手側嵌合部を有しており、
前記コネクタは、前記相手側コネクタと嵌合する嵌合部を有しており、
前記嵌合部は、前記嵌合状態において前記相手側嵌合部に受容される
コネクタ対を提供する。
【００２１】
また、本発明は、第１５のコネクタ対として、第１４のコネクタ対であって、
前記嵌合部の外周面は、前記シェルによって切れ目なく覆われている
コネクタ対を提供する。
【００２２】
また、本発明は、第１６のコネクタ対として、第１４又は第１５のコネクタ対であって、
前記相手側コネクタは、相手側ハウジングと、相手側コンタクトと、相手側シェルとを備えており、
前記相手側ハウジングには、溝部が設けられており、
前記相手側コンタクトは、前記相手側ハウジングに保持されており、
前記相手側シェルは、前記相手側ハウジングを少なくとも部分的に覆っており、前記相手側シェルには開口部が形成されており、前記相手側コネクタが前記コネクタから離れている分離状態において、前記開口部を通して前記相手側コンタクトの所定部分が視認可能であり、
前記シェルは、シールド部を有しており、前記シールド部は、前方に突出するようにして前記嵌合部の前端に設けられており、前記嵌合状態において、前記シールド部の前端部は、前記相手側ハウジングの前記溝部に挿入されており、前記開口部を通して前記相手側コンタクトの前記所定部分を視認することができない
コネクタ対を提供する。
【００２３】
また、本発明は、第１７のコネクタ対として、第１４乃至第１６のいずれかのコネクタ対であって、
前記相手側コネクタは、被ロック片を備えており、前記被ロック片は、前記解除方向に弾性変形可能となるように支持されており、前記被ロック部は、前記被ロック片に設けられており、
前記嵌合状態において、前記ロック解除片は、前記解除方向における前記嵌合部と前記被ロック片との間に位置し、
前記嵌合状態において前記ロック解除片を前記解除方向に弾性変形させると、前記ロック解除片は、前記被ロック部が前記解除方向において前記嵌合部から離れるように前記被ロック片を弾性変形させる
コネクタ対を提供する。
【００２４】
また、本発明は、第１８のコネクタ対として、第１４乃至第１７のいずれかのコネクタ対であって、
前記ロック部及び前記ロック解除片は、前記嵌合部に設けられている
コネクタ対を提供する。
【００２５】
また、本発明は、第１のコネクタとして、第１乃至第１８のいずれかのコネクタ対のコネクタとして使用可能なコネクタを提供する。
コネクタ対を提供する。
【００２６】
また、本発明は、第２のコネクタとして、第１乃至第１８のいずれかのコネクタ対の相手側コネクタとして使用可能なコネクタを提供する。
【発明の効果】
【００２７】
本発明によれば、コネクタと相手側コネクタとの嵌合状態のロックは、コネクタのロック解除片が相手側コネクタの被ロック部を変位させることで解除される。従って、コネクタのロック部を変位可能に構成する必要がない。このため、コネクタの構造をより柔軟に構成することができる。例えば、プラグコネクタのサイズを不必要に大きくすることなく、嵌合部の外周をシェルで切れ目なく覆うことができる。
【図面の簡単な説明】
【００２８】
【図１】本発明の実施の形態によるコネクタ対を示す斜視図である。ここで、コネクタ対のコネクタ及び相手側コネクタは、互いに分離した分離状態にある。
【図２】図１のコネクタ対のコネクタを示す上面図である。
【図３】図１のコネクタを示す正面図である。
【図４】図１のコネクタのロック部材を示す斜視図である。ここで、ロック部材が取り付けられるコネクタのハウジング及びシェルの大まかな外形を１点鎖線で描画している。
【図５】図１のコネクタの嵌合部を、ロック部材が取り付けられていない状態で部分的に拡大して示す斜視図である。
【図６】図１のコネクタのフードを示す斜視図である。
【図７】図１のコネクタ対の相手側コネクタを示す斜視図である。
【図８】図７の相手側コネクタの相手側ハウジングを、相手側コンタクトが取り付けられた状態で示す斜視図である。
【図９】図１のコネクタ対を、コネクタと相手側コネクタとが互いに嵌合した嵌合状態で示す斜視図である。
【図１０】図９のコネクタ対の押圧部、ロック解除片及び被ロック片の周辺（破線Ａで囲んだ部分）を部分的に拡大して示す斜視図である。ここで、ロック解除片が操作された際の押圧部、ロック解除片及び被ロック片の外形を１点鎖線で描画している。
【図１１】図９のコネクタ対を示す正面図である。
【図１２】図１１のコネクタ対をＸＩＩ−ＸＩＩ線に沿って示す断面図である。ここで、コネクタに取り付けられたケーブルの外形を１点鎖線で描画している。
【図１３】図１２のコネクタ対のロック部及び被ロック部の周辺（破線Ｂで囲んだ部分）を部分的に拡大して示す断面図である。ここで、ロック解除片が操作された際の被ロック片の外形を１点鎖線で描画している。
【図１４】図９のコネクタ対を、ロック解除片が操作された状態で示す斜視図である。
【図１５】図１のコネクタの変形例を示す斜視図である。
【図１６】図１５のコネクタと図７の相手側コネクタとからなるコネクタ対を嵌合状態で示す斜視図である。
【図１７】図７の相手側コネクタを示す正面図である。ここで、相手側コネクタが図１５のコネクタと嵌合状態にあるときのコネクタのシールド部の断面を１点鎖線で描画している。
【図１８】図１５のコネクタの変形例を示す斜視図である。
【図１９】図１５のコネクタの更に別の変形例を示す斜視図である。
【図２０】図７の相手側コネクタと嵌合可能なダミーコネクタを示す斜視図である。
【図２１】図１３のロック部及び被ロック部の変形例を示す断面図である。
【図２２】従来のコネクタ対を示す断面図である。
【発明を実施するための形態】
【００２９】
図１及び図９に示されるように、本実施の形態によるコネクタ対１０は、互いに嵌合可能なコネクタ２０と、相手側コネクタ６０とを備えている。詳しくは、コネクタ２０は、前方に位置する相手側コネクタ６０と前後方向（Ｘ方向）に沿って嵌合可能であり且つ電気的に接続可能である。
【００３０】
本実施の形態によるコネクタ２０は、ケーブルコネクタであり、ケーブル８００と電気的に接続されている。一方、本実施の形態による相手側コネクタ６０は、回路基板（図示せず）に搭載される基板コネクタである。また、本実施の形態によれば、コネクタ２０はプラグコネクタであり、相手側コネクタ６０はレセプタクルコネクタである。但し、本発明は、これと異なるように構成されたコネクタ対に適用可能である。例えば、コネクタ２０が基板コネクタであり、相手側コネクタ６０がケーブルコネクタであってもよい。また、コネクタ２０がレセプタクルコネクタであり、相手側コネクタ６０がプラグコネクタであってもよい。
【００３１】
図１、図７及び図８に示されるように、本実施の形態による相手側コネクタ６０は、絶縁性材料からなる相手側ハウジング６１０と、導電性材料からなる複数の相手側コンタクト６２０と、金属製の相手側シェル６３０とを備えている。また、相手側コネクタ６０は、コネクタ２０と嵌合する相手側嵌合部６２を有している。相手側嵌合部６２は、−Ｘ方向に開口している。
【００３２】
図７及び図８に示されるように、相手側ハウジング６１０は、ブロック部６１２と、板状部６１４とを有している。ブロック部６１２は、概ねブロック形状を有している。板状部６１４は、ブロック部６１２から相手側嵌合部６２の開口に向かって（即ち、−Ｘ方向に沿って）延びる平板形状を有している。
【００３３】
図８に示されるように、相手側ハウジング６１０のブロック部６１２には、２つのポスト６１６（図１７参照）と、溝部６１８とが設けられている。ポスト６１６は、前後方向（Ｘ方向）と直交する上下方向（Ｚ方向）におけるブロック部６１２の下端部（即ち、−Ｚ側端部）に形成されている。ポスト６１６は、相手側コネクタ６０が回路基板（図示せず）に搭載される際、回路基板に挿入され位置決めされる。溝部６１８は、Ｚ方向におけるブロック部６１２の上端部（即ち、＋Ｚ側端部）に形成された溝である。詳しくは、溝部６１８は、前後方向（Ｘ方向）及び上下方向（Ｚ方向）の双方と直交する横方向（Ｙ方向）においてブロック部６１２の側壁に挟まれつつ、Ｘ方向に延びている。
【００３４】
図１、図８、図１１及び図１７から理解されるように、相手側コンタクト６２０は、相手側ハウジング６１０に保持されている。詳しくは、相手側コンタクト６２０の夫々は、一方の端部である接触部と、他方の端部である端子部とを有している。相手側コンタクト６２０の接触部は、板状部６１４の上面（即ち、＋Ｚ側の面）又は下面（即ち、−Ｚ側の面）に配置されている（図１７参照）。相手側コンタクト６２０の接触部は、コネクタ２０と相手側コネクタ６０とが嵌合した際、コネクタ２０と電気的に接続される。相手側コンタクト６２０の端子部は、ブロック部６１２から下方に向かって（即ち、−Ｚ方向に沿って）延びている（図１１参照）。相手側コンタクト６２０の端子部は、相手側コネクタ６０が回路基板（図示せず）に搭載される際、回路基板の信号線（図示せず）と接続される。
【００３５】
図１及び図７から理解されるように、本実施の形態による相手側シェル６３０は、１枚の金属板から、箱形状を有するように形成されている。相手側シェル６３０は、相手側ハウジング６１０及び相手側コンタクト６２０の大部分を覆うようにして、相手側ハウジング６１０に取り付けられている。換言すれば、相手側シェル６３０は、相手側ハウジング６１０を少なくとも部分的に覆っている。
【００３６】
図１、図７及び図１１に示されるように、相手側シェル６３０は、２つの接続部６３２を有している。接続部６３２は、下方に向かって延びるようにして、相手側シェル６３０の下端部に形成されている。接続部６３２は、相手側コネクタ６０が回路基板（図示せず）に搭載される際、回路基板にグランドされる。
【００３７】
本実施の形態による相手側シェル６３０には、開口部６３４と複数の接触バネ部６３６とが形成されている。相手側コネクタ６０がコネクタ２０から離れている分離状態において、開口部６３４を通して相手側コンタクト６２０の接続部（即ち、所定部分）が視認可能である。このため、例えば、相手側コンタクト６２０と回路基板（図示せず）との接続状態を、開口部６３４を通して視認することができる。
【００３８】
図１及び図７に示されるように、相手側コネクタ６０は、２つの被ロック片６４０を備えている。被ロック片６４０は、相手側コネクタ６０の相手側嵌合部６２のＹ方向における両側部に夫々設けられている。被ロック片６４０は、Ｙ方向外側に弾性変形可能となるように、相手側シェル６３０に片持ち梁状に支持されている。詳しくは、被ロック片６４０は、相手側シェル６３０に固定された固定端である＋Ｘ側の端部と、Ｙ方向に変位可能な自由端である−Ｘ側の端部とを有している。本実施の形態による被ロック片６４０は、相手側シェル６３０の一部である。但し、被ロック片６４０は、相手側シェル６３０と別体に形成されていてもよい。
【００３９】
被ロック片６４０の夫々には、被ロック部６４２が設けられている。換言すれば、本実施の形態による相手側コネクタ６０は、２つの被ロック部６４２を備えている。本実施の形態による被ロック部６４２の夫々は、被ロック片６４０の自由端の近傍に形成された切欠きである。但し、切り欠きに換えて孔を設けても良い。このように構成された被ロック部６４２は、Ｙ方向外側に変位可能である。
【００４０】
図１乃至図６に示されるように、本実施の形態によるコネクタ２０は、絶縁性材料からなるハウジング２１０と、導電性材料からなる複数のコンタクト２２０と、金属製のシェル２３０と、金属製のロック部材２５０と、絶縁性材料からなるフード３００と、絶縁性材料からなる操作部材４００とを備えている。また、コネクタ２０は、相手側コネクタ６０と嵌合する嵌合部２２を有している。
【００４１】
図１、図３及び図５に示されるように、コンタクト２２０は、ハウジング２１０に保持されている。詳しくは、コンタクト２２０の夫々は、一方の端部である接触部と、他方の端部である端子部（図示せず）とを有している。コンタクト２２０の接触部は、ハウジング２１０の前端部（即ち、＋Ｘ側の端部）に、相手側コネクタ６０の相手側コンタクト６２０の接触部（図１７参照）と対応するようにして、上下２列に配置されている（図３参照）。コンタクト２２０の接触部は、コネクタ２０と相手側コネクタ６０とが嵌合した際、相手側コンタクト６２０の接触部と夫々接続される。コンタクト２２０の端子部は、ケーブル８００の信号線（図示せず）と夫々接続されている。
【００４２】
図１及び図３から理解されるように、本実施の形態によるシェル２３０は、１枚の金属板を切り抜き、折り曲げて形成されている。シェル２３０は、ハウジング２１０及びコンタクト２２０の大部分を覆うようにして、ハウジング２１０に取り付けられている。換言すれば、シェル２３０は、ハウジング２１０を少なくとも部分的に覆っている。
【００４３】
図５に示されるように、本実施の形態によるシェル２３０は、コネクタ２０の嵌合部２２において、ハウジング２１０の外周面を隙間なく覆っている。換言すれば、嵌合部２２の外周面は、シェル２３０によって切れ目なく覆われており、これによりコンタクト２２０の接触部は、外部から電磁気的に遮蔽されている（即ち、シールドされている）。
【００４４】
図１、図３、図４及び図１２から理解されるように、ハウジング２１０、コンタクト２２０及びシェル２３０は、ロック部材２５０と共にコネクタ２０の本体部２４を構成している。本体部２４は、Ｘ方向に長く延びる平板形状の外形を有している（図４及び図１２参照）。また、嵌合部２２は、ハウジング２１０、コンタクト２２０、シェル２３０及びロック部材２５０の前端部から構成されている（図５参照）。換言すれば、嵌合部２２は、本体部２４の前端部である。
【００４５】
図１及び図４から理解されるように、本実施の形態によるロック部材２５０は、シェル２３０を構成する金属板とは別の１枚の金属板を切り抜き、折り曲げて形成されている。即ち、本実施の形態によるロック部材２５０は、シェル２３０と別体の部材である。但し、ロック部材２５０は、シェル２３０と一体に形成されていてもよい。より具体的には、ロック部材２５０は、シェル２３０の一部であってもよい。
【００４６】
ロック部材２５０は、本体部２４の両側面（即ち、Ｙ方向における両面）及び底面（即ち、−Ｚ側の面）を覆うようにして、シェル２３０に固定されている。詳しくは、ロック部材２５０は、底板２５２と、２つの側板２５４とを有している。底板２５２は、本体部２４の底面に位置しており、側板２５４は、本体部２４の両側面に夫々位置している。
【００４７】
図１及び図４に示されるように、側板２５４の夫々には、ロック部２６０と、ロック解除片２７０とが設けられている。換言すれば、コネクタ２０は、２つのロック部２６０と、２つのロック解除片２７０とを備えている。詳しくは、コネクタ２０は、ロック部２６０及びロック解除片２７０から夫々構成される２組のロックセットを備えている。ロックセットは、コネクタ２０の嵌合部２２のＹ方向における両側部に夫々設けられている（図１参照）。上述のように、本実施の形態によるロック部２６０及びロック解除片２７０は、ロック部材２５０の一部である。但し、ロック部２６０及びロック解除片２７０の夫々は、ロック部材２５０と別体に形成されていてもよい。
【００４８】
本実施の形態によるロック部２６０の夫々は、側板２５４の前端部の近傍に形成された突出片である。詳しくは、ロック部２６０は、Ｘ方向と直交する端部であるロック端２６２を有するようにして、側板２５４からＹ方向外側に突出している。ロック部２６０の突出長は短いため、ロック部２６０は、実質的に変位しない。即ち、ロック部２６０は、コネクタ２０に実質的に固定されている。
【００４９】
一方、ロック解除片２７０の夫々は、Ｙ方向外側に弾性変形可能となるように、側板２５４に片持ち梁状に支持されている。詳しくは、ロック解除片２７０は、側板２５４に固定された固定端である＋Ｘ側の端部と、Ｙ方向に変位可能な自由端である−Ｘ側の端部とを有している。ロック解除片２７０の自由端には、被操作部２７２が形成されている。本実施の形態による被操作部２７２は、Ｙ方向と直交する平面形状を有している。以上のように構成された被操作部２７２は、Ｙ方向外側に変位可能である。被操作部２７２をＹ方向外側に変位させると、ロック解除片２７０は、Ｙ方向外側に弾性変形する。換言すれば、ロック解除片２７０は、Ｙ方向外側に弾性変形するように操作可能である。
【００５０】
本実施の形態によるロック解除片２７０は、クランク形状を有するようにして、後方に向かって（即ち、−Ｘ方向に沿って）延びている。このため被操作部２７２は、側板２５４からＹ方向外側に張り出している。但し、被操作部２７２は、Ｙ方向において側板２５４と同じ位置に位置していてもよい。
【００５１】
図１、図２及び図１２から理解されるように、フード３００は、ハウジング２１０、コンタクト２２０、シェル２３０及びロック部材２５０の後端部（即ち、−Ｘ側の端部）を覆うようにして、コネクタ２０の本体部２４に取り付けられて固定されている。換言すれば、フード３００は、ハウジング２１０、コンタクト２２０、シェル２３０及びロック部材２５０の夫々を少なくとも部分的に受容して保持している。
【００５２】
図１、図２、図６及び図１２に示されるように、本実施の形態によるフード３００は、上板部３１０と、２つの側板部３２０と、底板部３３０と、背板部３４０とを有している。上板部３１０、側板部３２０及び底板部３３０は、コネクタ２０のハウジング２１０、コンタクト２２０、シェル２３０及びロック部材２５０を受容する受容部（受容空間）を形成している（図６参照）。背板部３４０には、ケーブル８００が通過する孔３４２が形成されている（図１２参照）。
【００５３】
図６に示されるように、側板部３２０の夫々の前端部には、切欠き３２２が形成されている。切欠き３２２の夫々は、側板部３２０の上部（即ち、＋Ｚ側の部位）と、上板部３１０の側部の一部を切欠いており、これにより上板部３１０には、前方に向かって突出した突出端部３１２が形成されている。
【００５４】
図１及び図６から理解されるように、本実施の形態による操作部材４００は、フード３００と一体に形成されており、これによりフード３００に固定されている。但し、操作部材４００は、フード３００と別体に形成した後でフード３００に固定されていてもよい。更に、例えばコネクタ２０がフード３００を備えていない場合、操作部材４００は、ハウジング２１０に固定されていてもよい。更に、操作部材４００は、ハウジング２１０と一体に形成されていてもよい。操作部材４００をハウジング２１０又はフード３００と一体に形成することにより、操作部材４００をより簡易な構造によってより強固に保持すると共に部品点数を削減することができる。
【００５５】
図１、図２、図３及び図６に示されるように、本実施の形態による操作部材４００は、フード３００の上板部３１０の上に設けられている。詳しくは、操作部材４００は、被固定部４１０と、２つの突出部４２０と、２つのバネ部４４０と、２つの押圧部４５０と、２つの操作部４６０と、連結部４７０とを有している。被固定部４１０は、フード３００の上板部３１０に固定されている。本実施の形態による突出部４２０は、上板部３１０及び被固定部４１０に固定されている。但し、突出部４２０は、上板部３１０又は被固定部４１０から離れていてもよい。突出部４２０は、被固定部４１０からＹ方向外側に突出しており、これによりＹ方向外側を向いた突出面（第１規制部）４２２が形成されている。換言すれば、本実施の形態によるコネクタ２０は、２つの突出面４２２を備えている。本実施の形態による突出面４２２の夫々は、Ｙ方向と直交する平面である。
【００５６】
図３及び図６から理解されるように、バネ部４４０、押圧部４５０、操作部４６０及び連結部４７０は、上板部３１０から離れてフード３００の上方に位置している。また、バネ部４４０の一端が被固定部４１０に固定されている一方、押圧部４５０、操作部４６０及び連結部４７０は、フード３００に直接固定されていない。即ち、バネ部４４０、押圧部４５０、操作部４６０及び連結部４７０は、被固定部４１０のみを介してフード３００に固定されており、Ｚ方向と直交する方向に変形可能である。
【００５７】
図２及び図６に示されるように、バネ部４４０の夫々は、被固定部４１０から前方に向かって長く延びている。押圧部４５０の夫々は、バネ部４４０の前端からＹ方向外側に延びた後、フード３００の切欠き３２２を通過して下方に延びている。押圧部４５０の下端部には、Ｙ方向外側を向いた押圧面４５２が形成されている。本実施の形態による押圧面４５２は、Ｙ方向と直交する平面である。以上のように構成されたバネ部４４０は、被固定部４１０に固定された被固定端と、押圧部４５０に接続された被接続端とを有している。操作部４６０はバネ部４４０に接続されている。詳しくは、操作部４６０の夫々は、バネ部４４０の被固定端と被接続端との間に位置する部位からＹ方向外側に延びた後、後方に向かって長く延びている。２つの操作部４６０は、２つの突出面４２２をＹ方向に挟むようにして延びている。連結部４７０は、半円形状を有するようにして、Ｚ方向におけるコネクタ２０の上部において、２つの操作部４６０の後端を連結している。
【００５８】
以上の説明から理解されるように、バネ部４４０は、被固定部４１０に、ＸＹ平面内（即ち、Ｚ方向と直交する平面内）において弾性変形可能に支持されている。操作部４６０は、Ｘ方向において後方に向かって変位可能となるように、バネ部４４０に接続されている。操作部４６０を後方に向かって変位させると、バネ部４４０がＹ方向外側に開くように弾性変形する（図１４参照）。バネ部４４０が上述のように弾性変形すると、押圧部４５０は、Ｙ方向外側に変位する。換言すれば、押圧部４５０は、Ｙ方向外側に変位可能となるように、バネ部４４０に接続されている。
【００５９】
図１に示されるように、押圧部４５０の押圧面４５２は、ロック解除片２７０の被操作部２７２のＹ方向内側に配置されている。押圧面４５２は、図１に示された初期状態において、被操作部２７２と接触または近接している。このため、押圧部４５０は、Ｙ方向外側に変位する際、被操作部２７２をＹ方向外側に押圧する。即ち、押圧部４５０は、ロック解除片２７０の被操作部２７２をＹ方向外側に押圧可能な位置に配置されている。
【００６０】
以上の説明から理解されるように、操作部材４００は、ロック解除片２７０の被操作部２７２をＹ方向外側に押圧するように構成されている。特に、本実施の形態による操作部材４００は、バネ部４４０、押圧部４５０、及び操作部４６０から夫々構成される２組の操作セットを有している。操作セットは、前述のロックセット（即ち、ロック部２６０及びロック解除片２７０から構成されるセット）と夫々対応するようにして設けられている。
【００６１】
図９に示されるように、コネクタ２０と相手側コネクタ６０とが嵌合方向（＋Ｘ方向）に沿って互いに嵌合した嵌合状態において、コネクタ２０の嵌合部２２は、相手側コネクタ６０の相手側嵌合部６２に受容される。このとき、コネクタ２０のコンタクト２２０（図１参照）の接触部は、相手側コネクタ６０の相手側コンタクト６２０の接触部と夫々接続される。また、コネクタ２０のシェル２３０は、相手側シェル６３０に設けられた接触バネ部６３６と接触し相手側コネクタ６０の相手側シェル６３０と接続される。即ち、ケーブル８００は、コネクタ２０及び相手側コネクタ６０を介して、回路基板（図示せず）と電気的に接続される。
【００６２】
図９、図１０及び図１３に示されるように、ロック部２６０は、嵌合状態において被ロック部６４２と係合し、これにより嵌合状態がロックされる。詳しくは、ロック部２６０のロック端２６２は、被ロック部６４２の内部に位置している。コネクタ２０に、抜去方向（−Ｘ方向）に沿った力が加わると、ロック端２６２が被ロック部６４２の内壁と突き当たり、これによりコネクタ２０の意図しない抜去が防止される。ロック部２６０及び被ロック部６４２の夫々は、本実施の形態と異なるように構成されていてもよい。例えば、ロック部２６０がロック部材２５０の側板２５４（図１３参照）に形成された孔であり、被ロック部６４２が被ロック片６４０からＹ方向内側に突出した突出片であってもよい。
【００６３】
図９及び図１０に示されるように、嵌合状態において、ロック解除片２７０は、Ｙ方向における嵌合部２２と被ロック片６４０との間に位置している。詳しくは、ロック解除片２７０は、被ロック片６４０と接触するようにして、被ロック片６４０のＹ方向内側に位置している。また、コネクタ２０の嵌合部２２と相手側コネクタ６０の相手側嵌合部６２とは、殆ど隙間をあけることなく嵌合している（図１３参照）。このため、コネクタ２０と相手側コネクタ６０との接続部分をより確実にシールドすることができる。
【００６４】
図９及び図１４から理解されるように、本実施の形態による操作部材４００は、連結部４７０を有しているため、連結部４７０に力を加えることで、２つの操作部４６０を同時に操作することができる。詳しくは、嵌合状態において連結部４７０を後方に向かって引くと、２つの操作部４６０は、後方に向かって変位し、この変位に伴って操作部４６０のバネ部４４０近傍の部位、及び操作部４６０とバネ部４４０との接続部分４８０がＹ方向外側に向かって変位する。変位した操作部４６０は、バネ部４４０にＹ方向外側に向かう力を夫々加える。このため、バネ部４４０は、Ｙ方向外側に向かって夫々弾性変形する。バネ部４４０が弾性変形すると、押圧部４５０はＹ方向外側に変位して被操作部２７２を夫々押圧する。
【００６５】
上述したように、本実施の形態による連結部４７０は、半円形状を有している。このため、後方に向かう力を操作部４６０に効果的に伝達することができる。また、連結部４７０は、フード３００の上方に位置している。このため、Ｙ方向におけるコネクタ２０の外側に操作のための十分な空間が設けられていない場合であっても、連結部４７０を容易に引くことができる。
【００６６】
図１０、図１３及び図１４に示されるように、押圧部４５０に押圧された被操作部２７２はＹ方向外側に変位し、これによりロック解除片２７０がＹ方向外側に弾性変形する。嵌合状態においてロック解除片２７０をＹ方向外側に弾性変形させると、ロック解除片２７０は、被ロック部６４２がＹ方向において嵌合部２２から離れるように被ロック片６４０を弾性変形させる。このため、被ロック部６４２は、ロック部２６０のロック端２６２の外側に位置し、これにより嵌合状態のロックが解除される。
【００６７】
図１３から理解されるように、連結部４７０を後方に向かって引き続けると、ロック部２６０は、被ロック部６４２と突き当たることなく後方に移動し、コネクタ２０は相手側コネクタ６０から抜去される（図１参照）。コネクタ２０が抜去された状態で連結部４７０に力を加えることを止めると、またはコネクタ２０が抜去されると、バネ部４４０は図１に示された初期状態に戻り、これにより操作部４６０、押圧部４５０及び被操作部２７２も、図１に示された初期位置に戻る。
【００６８】
上述したように、本実施の形態によれば、ロック解除片２７０は、嵌合状態において操作されてＹ方向外側に弾性変形すると、被ロック部６４２をＹ方向外側に変位させ、これにより嵌合状態のロックが解除される（図１０参照）。即ち、本実施の形態によれば、嵌合状態のロックを解除するための被ロック部６４２の変位方向（即ち、解除方向）は、Ｙ方向において外側に向かう方向である。本実施の形態による解除方向は、コネクタ２０が相手側コネクタ６０と嵌合し抜去される嵌合抜去方向である前後方向（Ｘ方向）と直交している。
【００６９】
図１４から理解されるように、本実施の形態による突出面４２２は、Ｙ方向における操作部４６０の内側に夫々位置している。このため、連結部４７０を斜め後方に引いた場合であっても、操作部４６０がＹ方向内側に弾性変形することを防止できる。このため、２つのバネ部４４０がＹ方向内側に閉じるように弾性変形することを防止できる。即ち、本実施の形態による突出面４２２は、解除方向の反対方向への操作部４６０の変位を夫々規制する第１規制部４２２として機能する。フード３００は、操作部４６０のＹ方向外側に位置する別の規制部を更に有していてもよい。この場合、操作部４６０がＹ方向外側に弾性変形することを防止できる。このため、操作部４６０は、より確実に後方に変位することができ、かつ操作部４６０のバネ部４４０近傍の部位がより確実にＹ方向外側に向かって変位する。
【００７０】
以上に説明したように、コネクタ２０のロック解除片２７０は、嵌合状態において操作されると、相手側コネクタ６０の被ロック部６４２を解除方向に変位させ、相手側コネクタ６０の被ロック部６４２の変位により嵌合状態のロックが解除される。従って、コネクタ２０のロック部２６０を変位可能に構成する必要がない。このため、コネクタ２０をより柔軟に構成することができる。例えば、コネクタ２０のサイズを不必要に大きくすることなく、前述したように嵌合部２２の外周をシェル２３０で切れ目なく覆い、これによりコネクタ２０の嵌合部２２を確実にシールドすることができる（図５参照）。
【００７１】
図１０及び図１４に示されるように、本実施の形態による操作部材４００は、被操作部２７２を解除方向（即ち、Ｙ方向外側）に押圧するように構成されている。より具体的には、操作部材４００のバネ部４４０は、解除方向に弾性変形可能であり、これにより押圧部４５０は、解除方向に変位してロック解除片２７０の被操作部２７２を解除方向に押圧する。また、被操作部２７２は、解除方向に変位可能であり、これによりロック解除片２７０は、解除方向に弾性変形するように操作可能である。更に、被ロック片６４０は、解除方向に弾性変形可能であり、これにより被ロック部６４２は、解除方向に変位可能である。
【００７２】
上述のように、本実施の形態によれば、嵌合状態のロック解除に関連する部材の夫々は、解除方向に変形又は変位するように構成されている。即ち、嵌合状態のロックを解除するための力は、常に解除方向に伝達される。しかしながら、力が伝達される過程で力の方向を変えることも可能である。より具体的には、一部の部材が解除方向以外の方向に変形又は変位するように構成することも可能である。また、解除方向は、本実施の形態と異なっていてもよい。例えば、解除方向は、Ｙ方向において内側に向かう方向であってもよいし、嵌合抜去方向と斜交する方向であってもよい。即ち、解除方向は、前後方向と交差していればよい。
【００７３】
ロック解除に関連する部材の一部は、設けられていなくてもよい。例えば、操作部材４００は、解除方向に変位可能に支持された押圧部４５０のみを有していてもよい。また、コネクタ２０は操作部材４００を備えておらず、押圧部４５０はフード３００の一部であってもよい。更に、ロック解除片２７０は、押圧部４５０と一体に形成されていてもよい。コネクタ２０が上記のように構成されている場合、押圧部４５０を直接操作することで嵌合状態のロックを解除することができる。
【００７４】
図１に示されるように、本実施の形態によれば、ロック解除片２７０は、プラグコネクタであるコネクタ２０に設けられている。しかしながら、ロック解除片２７０は、レセプタクルコネクタである相手側コネクタ６０に設けられていてもよい。この場合、相手側コネクタ６０の被ロック部６４２を変位しないように構成する一方、コネクタ２０のロック部２６０を変位可能に構成すればよい。詳しくは、相手側コネクタ６０に被ロック片６４０を形成せず、被ロック部６４２を相手側シェル６３０の側部に形成すればよい（図２１参照）。また、相手側シェル６３０の側部にロック解除片２７０を設ければよい。更に、コネクタ２０に（例えば、ロック部材２５０に）Ｙ方向内側（解除方向）に変形可能なロック片２８０を設け、ロック部２６０をロック片２８０に形成すればよい（図２１参照）。
【００７５】
上述のように構成した場合、嵌合状態において、相手側コネクタ６０の相手側シェル６３０の側壁部に設けられたロック解除片２７０は、解除方向における嵌合部２２と被ロック片６４０との間ではなく（図９参照）、解除方向においてロック片２８０の外側に位置する。また、ロック解除片２７０は、被ロック部６４２が解除方向において嵌合部２２から離れるように被ロック片６４０を弾性変形させるのでなく、ロック部２６０を解除方向において嵌合部２２に近づけるように変位させることになる（図２１参照）。このため、嵌合部２２とロック部２６０との間にロック部２６０が変位するための空間を設ける必要があり、コネクタ２０のＹ方向におけるサイズが大きくなる。従って、コネクタ２０を小型化するためには、本実施の形態のように構成することが好ましい。
【００７６】
ロック部２６０と、ロック解除片２７０とをシェル２３０に設けてもよい。例えば、シェル２３０のうち嵌合部２２の側部に位置する部位を前方に延ばして後方に折り返し、これによってロック部２６０及びロック解除片２７０を形成してもよい。
【００７７】
コネクタ２０及び相手側コネクタ６０の夫々は、上述した変形例に加えて様々に変形可能である。
【００７８】
図１５に示されるように、コネクタ２０の変形例であるコネクタ２０Ａは、コネクタ２０と殆ど同一の構造を有している一方、シェル２３０（図１参照）と少し異なるシェル２３０Ａを備えている。より具体的には、シェル２３０Ａは、平面状に形成されたシールド部２３２Ａを有している。このため、コネクタ２０Ａは、コネクタ２０の嵌合部２２と異なる嵌合部２２Ａを有している。シールド部２３２Ａは、前方に突出するようにして嵌合部２２Ａの前端に設けられている。
【００７９】
図１６及び図１７から理解されるように、コネクタ対１０Ａは、互いに嵌合可能なコネクタ２０Ａと相手側コネクタ６０とを備えている。シールド部２３２Ａの前端部は、コネクタ２０Ａと相手側コネクタ６０との嵌合状態において、相手側ハウジング６１０の溝部６１８に挿入されている（図１７参照）。このため、相手側シェル６３０の開口部６３４は、殆ど塞がれており、開口部６３４を通して相手側コンタクト６２０の接続部（即ち、所定部分）を視認することができない。本変形例によれば、嵌合状態において相手側コンタクト６２０の接続部の上方をシールドすることができる。更に、相手側ハウジング６１０の溝部６１８によって、シェル２３０Ａを位置決めすることができる。このため、嵌合状態においてシェル２３０Ａと相手側コンタクト６２０とが接触することを確実に防止することができる。
【００８０】
図１８から理解されるように、シールド部２３２Ａ（図１５参照）は、様々に変形可能である。コネクタ２０Ａの変形例であるコネクタ２０Ｂは、シールド部２３２Ａと少し異なるシールド部２３２Ｂを有するシェル２３０Ｂを備えており、これにより嵌合部２２Ａと異なる嵌合部２２Ｂを有している。シールド部２３２Ｂは、下方に折り曲げられた両側部を有している。シールド部２３２Ｂは、このように構成されているため変形しにくい。従って、シェル２３０Ｂをより確実に位置決めすることができる。
【００８１】
図１９に示されるように、コネクタ２０Ａの別の変形例であるコネクタ２０Ｃは、コネクタ２０（図１参照）及びコネクタ２０Ａ（図１５参照）の夫々の操作部材４００と少し異なる操作部材４００Ｃを備えている。詳しくは、操作部材４００Ｃは、操作部材４００が有している部位に加えて、カバー部４３０を有している。
【００８２】
カバー部４３０は、突出部４２０からＹ方向外側に張り出すようにして、被固定部４１０の上に設けられている。このため、カバー部４３０は、２つの操作部４６０の上方に夫々位置する２つの下面（第２規制部）４３２を有している。換言すれば、本変形例によるコネクタ２０Ｃは、２つの第２規制部４３２を備えている。このように構成された第２規制部４３２は、連結部４７０を後方に引いた際、Ｚ方向における上方への操作部４６０の変位を夫々規制することができる。
【００８３】
以上に説明した本実施の形態及び変形例は、更に様々に変形可能である。例えば、第２規制部４３２は、シールド部２３２Ａを備えているコネクタ２０Ｃでなく、コネクタ２０に設けてもよい。
【００８４】
図２０に示されるように、本発明をダミーコネクタ７０に適用することもできる。ダミーコネクタ７０は、１枚の金属板から、相手側コネクタ６０の相手側嵌合部６２に受容される嵌合部７２を備えるようにして形成されている。嵌合部７２の上下、両側部、及び後端は、金属板によって塞がれている。ダミーコネクタ７０は、シールド部７１０を有している。シールド部７１０は、前方に突出するようにして嵌合部７２の前端に設けられている。以上のように構成されたダミーコネクタ７０は、回路基板（図示せず）に搭載され、且つ未だ使用されていない相手側コネクタ６０と嵌合し、これによって相手側コネクタ６０の内部をシールドすることができる。
【符号の説明】
【００８５】
１０，１０Ａ                  コネクタ対
２０，２０Ａ，２０Ｂ，２０Ｃ  コネクタ
２２，２２Ａ，２２Ｂ          嵌合部
２４                          本体部
２１０                        ハウジング
２２０                        コンタクト
２３０，２３０Ａ，２３０Ｂ    シェル
２３２Ａ，２３２Ｂ            シールド部
２５０                        ロック部材
２５２                        底板
２５４                        側板
２６０                        ロック部
２６２                        ロック端
２７０                        ロック解除片
２７２                        被操作部
２８０                        ロック片
３００                        フード
３１０                        上板部
３１２                        突出端部
３２０                        側板部
３２２                        切欠き
３３０                        底板部
３４０                        背板部
３４２                        孔
４００，４００Ｃ              操作部材
４１０                        被固定部
４２０                        突出部
４２２                        突出面（第１規制部）
４３０                        カバー部
４３２                        下面（第２規制部）
４４０                        バネ部
４５０                        押圧部
４５２                        押圧面
４６０                        操作部
４７０                        連結部
４８０                        接続部分
６０                          相手側コネクタ
６２                          相手側嵌合部
６１０                        相手側ハウジング
６１２                        ブロック部
６１４                        板状部
６１６                        ポスト
６１８                        溝部
６２０                        相手側コンタクト
６３０                        相手側シェル
６３２                        接続部
６３４                        開口部
６３６                        接触バネ部
６４０                        被ロック片
６４２                        被ロック部
７０                          ダミーコネクタ
７２                          嵌合部
７１０                        シールド部
８００                        ケーブル
【要約】
【課題】コネクタと相手側コネクタとの嵌合状態をロックするための新たなロック機構を備えたコネクタ対を提供すること。
【解決手段】コネクタ対は、コネクタと、相手側コネクタとを備えている。前記相手側コネクタは、被ロック部を備えている。前記被ロック部は、解除方向に変位可能である。前記コネクタは、前方に位置する相手側コネクタと前後方向に沿って嵌合可能であり且つ電気的に接続可能である。前記コネクタは、ロック部と、ロック解除片とを備えている。前記ロック部は、前記コネクタが前記相手側コネクタと嵌合した嵌合状態において前記被ロック部と係合し、これにより前記嵌合状態がロックされる。前記ロック解除片は、前記嵌合状態において操作されると、前記被ロック部を前記解除方向に変位させる。前記被ロック部の変位により前記嵌合状態のロックが解除される。
【選択図】図１【図１】
0005568655.tif 000002
【図２】
0005568655.tif 000003
【図３】
0005568655.tif 000004
【図４】
0005568655.tif 000005
【図５】
0005568655.tif 000006
【図６】
0005568655.tif 000007
【図７】
0005568655.tif 000008
【図８】
0005568655.tif 000009
【図９】
0005568655.tif 000010
【図１０】
0005568655.tif 000011
【図１１】
0005568655.tif 000012
【図１２】
0005568655.tif 000013
【図１３】
0005568655.tif 000014
【図１４】
0005568655.tif 000015
【図１５】
0005568655.tif 000016
【図１６】
0005568655.tif 000017
【図１７】
0005568655.tif 000018
【図１８】
0005568655.tif 000019
【図１９】
0005568655.tif 000020
【図２０】
0005568655.tif 000021
【図２１】
0005568655.tif 000022
【図２２】
0005568655.tif 000023